【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
電子機器の設定項目に対応したオブジェクトが配置された設定画面を表示部に表示する表示制御手段と、
１つの設定項目について、複数のオブジェクトから１つのオブジェクトを前記設定画面に表示させるオブジェクトとしてユーザーの操作に応じて選択可能な選択手段と、
ここで、前記複数のオブジェクトは第１のオブジェクトと、前記第１のオブジェクトよりも表示サイズが大きく前記第１のオブジェクトよりも表示する情報量が多い第２のオブジェクトを含み、
前記第２のオブジェクトにより操作可能な設定値の種類は、前記第１のオブジェクトにより操作可能な設定値の種類よりも多く、
前記第１のオブジェクトが前記設定画面に表示されている場合には、第１の操作部材または第２の操作部材への操作に応じて前記１つの設定項目に関する第１の設定値の設定状態を変更し、前記第２のオブジェクトが前記設定画面に表示されている場合には、前記第１の操作部材への操作に応じて前記第１の設定値を変更し、前記第２の操作部材への操作に応じて前記１つの設定項目に関する第２の設定値の設定状態を変更する変更手段と、を有することを特徴とする電子機器。
【請求項２】
電子機器の設定項目に対応したオブジェクトが配置された設定画面を表示部に表示する表示制御手段と、
１つの設定項目について、複数のオブジェクトから１つのオブジェクトを前記設定画面に表示させるオブジェクトとしてユーザーの操作に応じて選択可能な選択手段と、を有し、
ここで、前記複数のオブジェクトは第１のオブジェクトと、前記第１のオブジェクトよりも表示サイズが大きく前記第１のオブジェクトよりも表示する情報量が多い第２のオブジェクトを含み、
前記第２のオブジェクトにより操作可能な設定値の種類は、前記第１のオブジェクトにより操作可能な設定値の種類よりも多く、
前記第２のオブジェクトにおいては、前記１つの設定項目に関する第１の設定値と、前記第１の設定値の下位階層の第２の設定値とが含まれており、
前記第１のオブジェクトには前記第１の設定値が含まれているが、前記第２の設定値は含まれていない、ことを特徴とする電子機器。
【請求項３】
前記第２のオブジェクトにおいては、前記第１の設定値と、前記第１の設定値の下位階層の第２の設定値とが含まれており、
前記第１のオブジェクトには前記第１の設定値が含まれているが、前記第２の設定値は含まれていないことを特徴とする請求項１に記載の電子機器。
【請求項４】
前記表示制御手段は、前記第１のオブジェクトに所定の操作が行われたことに応じて、操作可能となる設定値の種類が増加したサブ画面を前記表示部に表示することを特徴とする請求項１乃至３のいずれか１項に記載の電子機器。
【請求項５】
前記第１のオブジェクトは前記１つの設定項目に関する第１の設定値の設定状態を表示し、
前記第２のオブジェクトは前記１つの設定項目に関する第２の設定値の設定状態を前記第１の設定値の設定状態とともに表示することを特徴とする請求項１乃至４のいずれか１項に記載の電子機器。
【請求項６】
前記第１の設定値として、複数の候補から設定可能であり、前記複数の候補のうち、所定の候補が前記第１の設定値として設定された場合に、前記第２の設定値が設定可能となることを特徴とする請求項１または３に記載の電子機器。
【請求項７】
前記変更手段は、前記第２のオブジェクトが、前記所定の候補以外を前記第１の設定値として表示している場合は、前記第１の操作部材または前記第２の操作部材への操作に応じて前記第１の設定値の設定状態を変更することを特徴とする請求項６に記載の電子機器。
【請求項８】
前記第１の操作部材は第１の電子ダイヤルであり、前記第２の操作部材は第１の電子ダイヤルとは別の第２の電子ダイヤルであることを特徴とする請求項６または７に記載の電子機器。
【請求項９】
前記第１のオブジェクトが前記設定画面に表示されて選択されている場合と、前記第２のオブジェクトが前記設定画面に表示されて選択されている場合とで、同一の操作部材に対する操作に応じて変更される設定値が異なることを特徴とする請求項１乃至８のいずれか１項に記載の電子機器。
【請求項１０】
前記表示制御手段は、前記第１のオブジェクトに所定の操作が行われたことに応じて、前記第１の設定値および前記第２の設定値を変更可能なサブ画面を前記表示部に表示することを特徴とする請求項１乃至９のいずれか１項に記載の電子機器。
【請求項１１】
前記１つの設定項目はホワイトバランスであり、
前記第１の設定値はホワイトバランスの種別であり、
前記第２の設定値は、前記第１の設定値が色温度であった場合の色温度の値であることを特徴とする請求項１乃至１０のいずれか１項に記載の電子機器。
【請求項１２】
電子機器の設定項目に対応したオブジェクトが配置された設定画面を表示部に表示する表示制御工程と、
１つの設定項目について、複数のオブジェクトから１つのオブジェクトを前記設定画面に表示させるオブジェクトとしてユーザーの操作に応じて選択可能な選択工程と、
ここで、前記複数のオブジェクトは第１のオブジェクトと、前記第１のオブジェクトよりも表示サイズが大きく前記第１のオブジェクトよりも表示する情報量が多い第２のオブジェクトを含み、
前記第２のオブジェクトにより操作可能な設定値の種類は、前記第１のオブジェクトにより操作可能な設定値の種類よりも多く、
前記第１のオブジェクトが前記設定画面に表示されている場合には、第１の操作部材または第２の操作部材への操作に応じて前記１つの設定項目に関する第１の設定値の設定状態を変更し、前記第２のオブジェクトが前記設定画面に表示されている場合には、前記第１の操作部材への操作に応じて前記第１の設定値を変更し、前記第２の操作部材への操作に応じて前記１つの設定項目に関する第２の設定値の設定状態を変更する変更工程と、を有することを特徴とする電子機器の制御方法。
【請求項１３】
電子機器の設定項目に対応したオブジェクトが配置された設定画面を表示部に表示する表示制御工程と、
１つの設定項目について、複数のオブジェクトから１つのオブジェクトを前記設定画面に表示させるオブジェクトとしてユーザーの操作に応じて選択可能な選択工程と、を有し、
ここで、前記複数のオブジェクトは第１のオブジェクトと、前記第１のオブジェクトよりも表示サイズが大きく前記第１のオブジェクトよりも表示する情報量が多い第２のオブジェクトを含み、
前記第２のオブジェクトにより操作可能な設定値の種類は、前記第１のオブジェクトにより操作可能な設定値の種類よりも多く、
前記第２のオブジェクトにおいては、前記１つの設定項目に関する第１の設定値と、前記第１の設定値の下位階層の第２の設定値とが含まれており、
前記第１のオブジェクトには前記第１の設定値が含まれているが、前記第２の設定値は含まれていない、ことを特徴とする電子機器の制御方法。
【請求項１４】
コンピュータを、請求項１乃至１１のいずれか１項に記載された電子機器の各手段として機能させるためのプログラム。
【請求項１５】
コンピュータを、請求項１乃至１１のいずれか１項に記載された電子機器の各手段として機能させるためのプログラムを格納したコンピュータが読み取り可能な記憶媒体。
【手続補正２】
【補正対象書類名】明細書
【補正対象項目名】０００９
【補正方法】変更
【補正の内容】
【０００９】
上記の目的を達成するための本発明の一態様による電子機器は、以下の構成を有する。すなわち、
電子機器の設定項目に対応したオブジェクトが配置された設定画面を表示部に表示する表示制御手段と、
１つの設定項目について、複数のオブジェクトから１つのオブジェクトを前記設定画面に表示させるオブジェクトとしてユーザーの操作に応じて選択可能な選択手段と、
ここで、前記複数のオブジェクトは第１のオブジェクトと、前記第１のオブジェクトよりも表示サイズが大きく前記第１のオブジェクトよりも表示する情報量が多い第２のオブジェクトを含み、
前記第２のオブジェクトにより操作可能な設定値の種類は、前記第１のオブジェクトにより操作可能な設定値の種類よりも多く、
前記第１のオブジェクトが前記設定画面に表示されている場合には、第１の操作部材または第２の操作部材への操作に応じて前記１つの設定項目に関する第１の設定値の設定状態を変更し、前記第２のオブジェクトが前記設定画面に表示されている場合には、前記第１の操作部材への操作に応じて前記第１の設定値を変更し、前記第２の操作部材への操作に応じて前記１つの設定項目に関する第２の設定値の設定状態を変更する変更手段と、を有する。